(57)【要約】【課題】装着することにより、背筋力が増強するインソール及びベルト、並びに装着することにより、握力が増強するリストバンドを提供する。【解決手段】インソール１は、合成樹脂製であり、磁性体を含む板状の基材の表面に、紙製であり、緑色部分３１、黄色部分３２、紫色部分３３、赤色部分３４及び青色部分３５と、５色からなる縞模様が形成されたシール３が貼付されている。このインソール１を、シール３を上に向けた状態で、靴の中に入れることにより、背筋力が増強される。【選択図】図１
2008113698.tif 000002
【特許請求の範囲】
【請求項１】
合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とするインソール。
【請求項２】
前記模様は縞模様である請求項１に記載のインソール。
【請求項３】
合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とするベルト。
【請求項４】
前記模様は縞模様である請求項３に記載のベルト。
【請求項５】
合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とするリストバンド。
【請求項６】
前記模様は縞模様である請求項５に記載のリストバンド。
【発明の詳細な説明】
【技術分野】
【０００１】
本発明は、装着により、背筋力及び／又は握力が大きくなるインソール、ベルト及びリストバンドに関する。
【背景技術】
【０００２】
近年、装着するだけで、筋力が増強されるインソール、ベルト及びリストバンドが求められている。
【０００３】
特許文献１には、所定の元素，Ｓｉ又はＳｉＯX （０＜ｘ≦２）が封入されており、尖部を有するガラス容器が、その底部に埋設されていることにより、それを履いた人の体力を増強させることが可能な体力増強靴の発明が開示されている。
【特許文献１】特開平１０−００５３４９号公報
【発明の開示】
【発明が解決しようとする課題】
【０００４】
しかし、特許文献１の靴は、履くことで５０ｍ走のタイムが向上していることが確認されているが、筋力の増強は確認されていない。他にも装着することで、筋力が増強されるものは知られていない。
【０００５】
本発明は斯かる事情に鑑みてなされたものであり、装着することにより、背筋力が増強するインソールを提供することを目的とする。
【０００６】
また、本発明は、装着することにより、背筋力が増強するベルトを提供することを目的とする。
【０００７】
そして、本発明は、装着することにより、握力が増強するリストバンドを提供することを目的とする。
【課題を解決するための手段】
【０００８】
第１発明に係るインソールは、合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とする。
【０００９】
第２発明に係るインソールは、第１発明において、前記模様は縞模様であることを特徴とする。
【００１０】
第３発明に係るベルトは、合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とする。
【００１１】
第４発明に係るベルトは、第３発明において、前記模様は縞模様であることを特徴とする。
【００１２】
第５発明に係るリストバンドは、合成樹脂製であり、磁性体を含む板状基材の少なくとも一面に、合成樹脂製又は紙製であり、緑系色、黄系色、紫系色、赤系色及び青系色の順、又はこれと逆の順に配色して模様が形成されているシールを貼付してなることを特徴とする。
【００１３】
第６発明に係るリストバンドは、第５発明において、前記模様は縞模様であることを特徴とする。
【発明の効果】
【００１４】
本発明に係るインソールは、その理由は明らかではないが、後述する評価試験で明らかなように、装着することにより、背筋力が増強することが確認されている。
【００１５】
本発明に係るベルトは、その理由は明らかではないが、後述する評価試験で明らかなように、装着することにより、背筋力が増強することが確認されている。
【００１６】
本発明に係るリストバンドは、その理由は明らかではないが、後述する評価試験で明らかなように、装着することにより、握力が増強することが確認されている。
【発明を実施するための最良の形態】
【００１７】
以下、本発明をその実施の形態を示す図面に基づき、具体的に説明する。
実施の形態１．
図１は、本発明の実施の形態１に係るインソール１を示す平面図、図２は図１のＩＩ−ＩＩ線断面図である。
インソール１は、合成樹脂製であり、磁性体を含む板状の基材２の表面に、紙製であり、緑色部分３１、黄色部分３２、紫色部分３３、赤色部分３４及び青色部分３５と、５色からなる縞模様が形成されたシール３が貼付されている。
本実施の形態のインソール１は、シール３を上に向けた状態で、靴の中に入れて使用する。
【００１８】
［背筋力の測定］
実施の形態１のインソール１の性能評価を行うために、７人の被験者につき、靴の中に本実施の形態のインソール１を敷いた状態で、背筋力を測定した（実施例１）。各人につき、以下の比較例の場合についても測定を行った。
【００１９】
（比較例１）
靴の中に何も敷かない。
（比較例２）
靴の中に基材２のみ敷く。
（比較例３）
５色の縞模様ではなく、青色一色に塗られたシールが基材２上に貼付されたインソールを靴の中に敷く。
（比較例４）
５色の縞模様ではなく、赤色一色に塗られたシールが基材２上に貼付されたインソールを靴の中に敷く。
（比較例５）
５色の縞模様ではなく、紫色一色に塗られたシールが基材２上に貼付されたインソールを靴の中に敷く。
【００２０】
（比較例６）
５色の縞模様ではなく、黄色一色に塗られたシールが基材２上に貼付されたインソールを靴の中に敷く。
（比較例７）
５色の縞模様ではなく、緑色一色に塗られたシールが基材２上に貼付されたインソールを靴の中に敷く。
（比較例８）
５色の縞模様ではなく、白色一色に塗られたシールが基材２上に貼付されたインソールを靴の中に敷く。
（比較例９）
５色の縞模様ではなく、茶色一色に塗られたシールが基材２上に貼付されたインソールを靴の中に敷く。
（比較例１０）
５色の縞模様ではなく、虹色に塗られたシールが基材２上に貼付されたインソールを靴の中に敷く。
【００２１】
被験者の性別及び年齢は以下の通りである。
被験者Ａ  女性、２４歳
被験者Ｂ  女性、１２歳
被験者Ｃ  女性、３８歳
被験者Ｄ  女性、４３歳
被験者Ｅ  男性、４３歳
被験者Ｆ  男性、５５歳
被験者Ｇ  男性、５６歳
各人につき、背筋力を測定した結果を下記の表１に示す。
【００２２】
【表１】
2008113698.tif 000003
【００２３】
被験者Ｅ、Ｇは基材２のみを靴の中に入れた比較例２の方が、何も入れない比較例より背筋力が小さくなっているが、あとの者は比較例２の方が比較例１より大きくなっている。単一色又は虹色に着色されたシールを基材２に貼付したインソールを靴の中に入れた比較例３〜１０については、比較例１より大きくなっている場合の方が多いが、小さくなっている場合もあった。
本実施の形態のインソール１を靴の中に入れた実施例１においては、いずれの被験者も比較例１と比較して格段に背筋力が大きくなっていることが分かる。
以上より、本実施の形態のインソール１を靴の中に入れることにより、背筋力が大きくなることが分かった。
なお、本実施の形態においては、シール３に、下側から緑色部分３１、黄色部分３２、紫色部分３３、赤色部分３４及び青色部分３５の縞模様が形成されている場合につき説明しているが、これに限定されるものではなく、逆の順に縞模様が形成されているものであってもよい。また、シール３は紙製で限定されず、合成樹脂製であってもよい。
【００２４】
実施の形態２．
図３は、本発明の実施の形態２に係るベルト５を示す裏面図、図４は図３のＩＶ−ＩＶ線断面図である。
ベルト５は、合成樹脂製であり、磁性体を含む板状の基材６の裏面に、紙製であり、緑色部分７１、黄色部分７２、紫色部分７３、赤色部分７４及び青色部分７５と、５色からなる縞模様が形成されたシール７が貼付されている。
基材６の表面には、合成樹脂製であり、シール７と同様に、緑色部分、黄色部分、紫色部分、赤色部分及び青色部分と、５色からなる縞模様が形成された樹脂製シール８が貼付されている。
本実施の形態のベルト５は、シール７を体側に向けた状態で、腰に装着する。
【００２５】
［背筋力の測定］
実施の形態２のベルト５の性能評価を行うために、１７人の被験者につき、本実施の形態のベルト５を装着した状態で、背筋力を測定した（実施例２）。各人につき、以下の比較例の場合についても測定を行った。
【００２６】
（比較例１１）
ベルトを装着しない。
（比較例１２）
基材６のみのベルトを装着する。
（比較例１３）
５色の縞模様ではなく、青色一色に塗られたシールが基材６上に貼付されたベルトを、該シールを体側に向けた状態で装着する。
（比較例１４）
赤色一色に塗られたシールが基材６上に貼付されたベルトを、該シールを体側に向けた状態で装着する。
（比較例１５）
紫色一色に塗られたシールが基材６上に貼付されたベルトを、該シールを体側に向けた状態で装着する。
【００２７】
（比較例１６）
黄色一色に塗られたシールが基材６上に貼付されたベルトを、該シールを体側に向けた状態で装着する。
（比較例１７）
緑色一色に塗られたシールが基材６上に貼付されたベルトを、該シールを体側に向けた状態で装着する。
（比較例１８）
白色一色に塗られたシールが基材６上に貼付されたベルトを、該シールを体側に向けた状態で装着する。
（比較例１９）
茶色一色に塗られたシールが基材６上に貼付されたベルトを、該シールを体側に向けた状態で装着する。
（比較例２０）
虹色に塗られたシールが基材６上に貼付されたベルトを、該シールを体側に向けた状態で装着する。
【００２８】
被験者の性別及び年齢は以下の通りである。
被験者Ａ  女性、２４歳
被験者Ｂ  女性、１２歳
被験者Ｃ  女性、３８歳
被験者Ｄ  女性、４３歳
被験者Ｅ  男性、４３歳
被験者Ｆ  男性、５５歳
被験者Ｇ  男性、５６歳
被験者Ｈ  女性、２６歳
被験者Ｉ  女性、５５歳
被験者Ｊ  女性、５５歳
被験者Ｋ  男性、５６歳
被験者Ｌ  男性、５６歳
被験者Ｍ  男性、５６歳
被験者Ｎ  女性、２９歳
被験者Ｏ  女性、２９歳
被験者Ｐ  女性、２６歳
被験者Ｑ  男性、３１歳
各人につき、背筋力を測定した結果を下記の表２に示す。
【００２９】
【表２】
2008113698.tif 000004
【００３０】
各被験者とも、ベルトを装着しない比較例１１と比較して、基材６のみのベルト、又は単一色若しくは虹色に着色されたシールを基材６に貼付したベルトを装着した比較例１２〜２０については背筋力が大きくなったり、小さくなったりしているが、本実施の形態のベルト５を装着した実施例２においては、いずれの被験者も比較例１１と比較して格段に大きくなっていることが分かる。
以上より、本実施の形態のベルト５を装着することにより、背筋力が大きくなることが分かった。
なお、本実施の形態においては、表側にも樹脂製シール８が貼付されている場合につき説明しているが、これに限定されるものではなく、少なくとも裏面側に、上記の順又は逆の順に、配色して模様が形成されたシールが貼付されていればよい。
【００３１】
実施の形態３．
図５は、本発明の実施の形態３に係るリストバンド９を示す裏面図、図６は図５のＶＩ−ＶＩ線断面図である。
リストバンド９は、合成樹脂製であり、磁性体を含む板状の基材１７の裏面に、紙製であり、緑色部分１１、黄色部分１２、紫色部分１３、赤色部分１４及び青色部分１５と、５色からなる縞模様が形成されたシール１０が貼付されている。リストバンド９の端部には、マジックテープ（登録商標）１６が設けられており、リストバンド９の他端部の表側に設けられたマジックテープと噛合されて、手首に留められるように構成されている。
本実施の形態のリストバンド９は、シール１０を体側に向けた状態で手首に装着する。
【００３２】
［握力の測定（１）］
実施の形態３のリストバンド９の性能評価を行うために、７人の被験者につき、本実施の形態のリストバンド９を右手首、左手首それぞれに装着した状態で、握力を測定した（実施例３）。各人につき、以下の比較例の場合についても測定を行った。
【００３３】
（比較例２１）
リストバンドを装着しない。
（比較例２２）
基材１７のみのリストバンドを装着する。
（比較例２３）
５色の縞模様ではなく、青色一色に塗られたシールが基材１７上に貼付されたリストバンドを、該シールを手首側に向けた状態で装着する。
（比較例２４）
赤色一色に塗られたシールが基材１７上に貼付されたリストバンドを、該シールを手首側に向けた状態で装着する。
（比較例２５）
紫色一色に塗られたシールが基材１７上に貼付されたリストバンドを、該シールを手首側に向けた状態で装着する。
【００３４】
（比較例２６）
黄色一色に塗られたシールが基材１７上に貼付されたリストバンドを、該シールを手首側に向けた状態で装着する。
（比較例２７）
緑色一色に塗られたシールが基材１７上に貼付されたリストバンドを、該シールを手首側に向けた状態で装着する。
（比較例２８）
白色一色に塗られたシールが基材１７上に貼付されたリストバンドを、該シールを手首側に向けた状態で装着する。
（比較例２９）
茶色一色に塗られたシールが基材１７上に貼付されたリストバンドを、該シールを手首側に向けた状態で装着する。
（比較例３０）
虹色に塗られたシールが基材１７上に貼付されたリストバンドを、該シールを手首側に向けた状態で装着する。
【００３５】
被験者の性別及び年齢は以下の通りである。
被験者Ａ  女性、２４歳
被験者Ｂ  女性、１２歳
被験者Ｃ  女性、３８歳
被験者Ｄ  女性、４３歳
被験者Ｅ  男性、４３歳
被験者Ｆ  男性、５５歳
被験者Ｇ  男性、５６歳
各人につき、握力を測定した結果を下記の表３に示す。
【００３６】
【表３】
2008113698.tif 000005
【００３７】
各被験者とも、リストバンドを装着しない比較例２１と比較して、基材１７のみのリストバンド、又は単一色若しくは虹色に着色されたシールを基材１７に貼付したリストバンドを装着した比較例２２〜３０については握力が大きくなったり、小さくなったりしているが、本実施の形態のリストバンド９を装着した実施例３においては、いずれの被験者も比較例２１と比較して格段に大きくなっていることが分かる。
【００３８】
上記の実施例３、及び比較例２１〜３０について、被験者Ｈ〜Ｑが右手のみの握力を測定した結果を下記の表４に示す。被験者の性別、年齢は以下の通りである。
被験者Ｈ  女性、２３歳
被験者Ｉ  女性、２６歳
被験者Ｊ  女性、２６歳
被験者Ｋ  女性、２９歳
被験者Ｌ  女性、２９歳
被験者Ｍ  男性、３１歳
被験者Ｎ  男性、５６歳
被験者Ｏ  女性、５５歳
被験者Ｐ  女性、５５歳
被験者Ｑ  男性、５６歳
被験者Ｒ  男性、５６歳
【００３９】
【表４】
2008113698.tif 000006
【００４０】
各被験者とも、リストバンドを装着しない比較例２１と比較して、基材１７のみのリストバンド、又は単一色若しくは虹色に着色されたシールを基材１７に貼付したリストバンドを装着した比較例２２〜３０については、握力が大きくなったり、小さくなったりしているが、本実施の形態のリストバンド９を装着した実施例３においては、いずれの被験者も比較例２１と比較して格段に大きくなっていることが分かる。
以上より、本実施の形態のリストバンド９を装着することにより、握力が大きくなることが分かった。
【００４１】
［握力の測定（２）］
実施の形態１のインソール１を靴の中に入れ、実施の形態３のリストバンド９をそれぞれ右手首又は左手首に装着した状態で、握力を測定した結果（実施例４）を下記の表５に示す。各人につき、以下の比較例の場合についても測定を行った。
【００４２】
（比較例３１）
インソール１もリストバンド９も装着しない。
（比較例３２）
基材２のみのインソール、基材１７のみのリストバンドを装着する。
（比較例３３）
５色の縞模様ではなく、青色一色に塗られたシールが基材２上に貼付されたインソールを靴の中に敷き、５色の縞模様ではなく、青色一色に塗られたシールが基材１７上に貼付されたリストバンドを手首に装着する。
（比較例３４）
赤色一色に塗られたシールが基材２上に貼付されたインソールを靴の中に敷き、赤色一色に塗られたシールが基材１７上に貼付されたリストバンドを手首に装着する。
（比較例３５）
紫色一色に塗られたシールが基材２上に貼付されたインソールを靴の中に敷き、紫色一色に塗られたシールが基材１７上に貼付されたリストバンドを手首に装着する。
【００４３】
（比較例３６）
黄色一色に塗られたシールが基材２上に貼付されたインソールを靴の中に敷き、黄色一色に塗られたシールが基材１７上に貼付されたリストバンドを手首に装着する。
（比較例３７）
緑色一色に塗られたシールが基材２上に貼付されたインソールを靴の中に敷き、緑色一色に塗られたシールが基材１７上に貼付されたリストバンドを手首に装着する。
（比較例３８）
白色一色に塗られたシールが基材２上に貼付されたインソールを靴の中に敷き、白色一色に塗られたシールが基材１７上に貼付されたリストバンドを手首に装着する。
（比較例３９）
茶色一色に塗られたシールが基材２上に貼付されたインソールを靴の中に敷き、茶色一色に塗られたシールが基材１７上に貼付されたリストバンドを手首に装着する。
（比較例４０）
虹色に塗られたシールが基材２上に貼付されたインソールを靴の中に敷き、虹色に塗られたシールが基材１７上に貼付されたリストバンドを手首に装着する。
被験者の性別、年齢は以下の通りである。
被験者Ａ  女性、３８歳
被験者Ｂ  男性、４３歳
【００４４】
【表５】
2008113698.tif 000007
【００４５】
各被験者とも、インソール及びリストバンドを装着しない比較例３１と比較して、基材２，１７のみのインソール，リストバンド、又は単一色若しくは虹色に着色されたシールを基材２，１７に貼付したインソール，リストバンドを装着した比較例３２〜４０については握力が大きくなったり、小さくなったりしているが、インソール１及びリストバンド９を装着した実施例４においては、いずれの被験者も比較例３１と比較して格段に大きくなっていることが分かる。
【００４６】
実施の形態４．
図７は、本発明の実施の形態４に係るリストバンド２０を示す裏面図である。
リストバンド２０は、合成樹脂製であり、磁性体を含む板状の基材２１の裏面に、紙製であり、六角形状の緑色部分２２の外周に沿って黄色部分２３が形成され、順次、紫色部分２４、赤色部分２５及び青色部分２６が形成される模様が付されたシール２７が貼付されている。リストバンド２０の端部には、マジックテープ１６が設けられており、リストバンド２０の他端部の表側に設けられたマジックテープと噛合されて、手首に留められるように構成されている。
本実施の形態のリストバンド２０は、シール２７を体側に向けた状態で手首に装着する。
本実施の形態のリストバンド２０を装着することにより、握力が大きくなることが確認された。
【００４７】
なお、本実施の形態においては、図形の内側から緑色、黄色、紫色、赤色及び青色の順に配色された場合につき説明しているがこれに限定されるものではなく、逆の順に配色されたものであってもよい。
【００４８】
また、前記実施の形態１乃至４においては、シールに縞模様、又は六角形状の模様を付した場合につき説明しているがこれに限定されるものではなく、他の多角形状、又は同心円状、楕円状等の図形に、緑色、黄色、紫色、赤色及び青色の順、又はこれと逆の順に配色された模様を付されたシールを基材に貼付するものであってもよい。
【図面の簡単な説明】
【００４９】
【図１】本発明の実施の形態１に係るインソールを示す平面図である。
【図２】図１のＩＩ−ＩＩ線断面図である。
【図３】本発明の実施の形態２に係るベルトを示す裏面図である。
【図４】図３のＩＶ−ＩＶ線断面図である。
【図５】本発明の実施の形態３に係るリストバンドを示す裏面図である。
【図６】図５のＶＩ−ＶＩ線断面図である。
【図７】本発明の実施の形態４に係るリストバンドを示す裏面図である。
【符号の説明】
【００５０】
１  インソール
２、６、１７、２１  基材
３、７、１０、２７  シール
３１、７１、１１、２２  緑色部分
３２、７２、１２、２３  黄色部分
３３、７３、１３、２４  紫色部分
３４、７４、１４、２５  赤色部分
３５、７５、１５、２６  青色部分
５  ベルト
８  樹脂製シール
９、２０  リストバンド
【図１】
2008113698.tif 000008
【図２】
2008113698.tif 000009
【図３】
2008113698.tif 000010
【図４】
2008113698.tif 000011
【図５】
2008113698.tif 000012
【図６】
2008113698.tif 000013
【図７】
2008113698.tif 000014